(57)【要約】【課題】  設置、移動等が容易であり、ある程度の時間使用に耐え得る表示器を提供する。【解決手段】  使用しない時にＡＣコンセント５に１００Ｖ商用電源を接続し、切替スイッチ９を充電（端子ａ）側に接続し、ＡＣ−ＤＣコンバータ６で降圧直流化した電圧で充電回路７により、電池８を充電する。表示器として使用する際は、ＡＣコンセント５からコード等を外した状態で、表示器１を設置場所に運び、切替スイッチ９を放電（端子ｂ）側に接続し、電池８の電圧を発光素子４-1、４-2、……、４-nに印加し、発光素子４-1、４-2、……、４-nへの通電による発光を行う。【選択図】      図２
2005326460.tif 000002
【特許請求の範囲】
【請求項１】
外部よりの充電が可能な電池と、外部よりの充電電圧を受ける充電入力回路と、
前記電池からの通電により点灯する複数個の発光素子と、前記充電電圧を前記電池に入力するか、前記電池電圧を前記発光素子に加えるかを切り替えるスイッチ回路とを、ケース体内に収納してなることを特徴とする表示器。
【請求項２】
前記充電入力回路として、外部の商用電圧を所定の充電電圧にまで変換するＡＣ−ＤＣコンバータと、変換された直流電圧により前記電池に充電する充電回路とを備えることを特徴とする請求項１記載の表示器。
【請求項３】
前記ケース体は本体と蓋体とからなり、本体には回路部及び発光素子が備えられ、蓋体は脱着自在にして交換可能にしたことを特徴とする請求項１又は請求項２記載の表示器。
【発明の詳細な説明】
【技術分野】
【０００１】
この発明は、店頭や受け付け等に設置する看板、案内板等に使用する表示器に関する。
【背景技術】
【０００２】
従来、店頭や受け付け等で使用される点灯機能付きの看板、案内板等は、構造的に非常にシンプルなものであり、案内のための図形、文章を表示したケース体内に自然灯、蛍光灯等を設け、図５に示すように、この表示灯１１をコード１２及びＡＣプラグ１３を用いて、ＡＣコンセントに接続し、表示灯１１を点灯することにより、図形、文字等を浮き上がらせて表示している。
【０００３】
また、図６に示すように、ＡＣアダプタ１４を用いて表示灯をＡＣコンセントに接続するものである。また、白熱灯、ＬＥＤをセグメントとしてドット配置し、文字、図形を可変表示するものも知られている。これらも駆動電源としてＡＣ電源を用いている（例えば、特許文献１参照）。
【特許文献１】実開平５−７５７８５号公報
【発明の開示】
【発明が解決しようとする課題】
【０００４】
上記した従来の店頭用、受け付け用の看板、案内用として使用する表示器は、ＡＣ電源を主として使用するものであるから、ＡＣコードを引き回すことによる見栄えの悪さや表示器を移転する際に扱い上不便であるという問題がある。また、ＡＣ電源の代わりに電池を用いるとなると、白熱灯、蛍光灯等では長期の使用に耐えず、電池の交換を煩繁に要し、面倒であり、かつ経済的でないという問題がある。
【０００５】
この発明は上記問題点に着目してなされたものであって、設置、移動等が容易であり、かつある程度の使用に耐え得る表示器を提供することを目的としている。
【課題を解決するための手段】
【０００６】
この発明の表示器は、外部よりの充電が可能な電池と、外部よりの充電電圧を受ける充電入力回路と、前記電池からの通電により点灯する複数個の発光素子と、前記充電電圧を前記電池に入力するか、前記電池電圧を前記発光素子に加えるかを切り替えるスイッチ回路とを、ケース体内に収納している。
【０００７】
この発明の表示器において、前記充電入力回路として、外部の商用電圧を所定の充電電圧にまで変換するＡＣ−ＤＣコンバータと、変換された直流電圧により前記電池に充電する充電回路とを備えることができる。
【０００８】
また、この発明において、前記ケース体は本体と蓋体とからなり、本体には回路部及び発光素子が備えられ、蓋体は脱着自在にして交換可能としても良い。
【発明の効果】
【０００９】
この発明によれば、充電と表示とを切り替えるスイッチ回路を備えているので、表示器を使用しないときは、表示器をＡＣ電源コンセントの近くまで持参し、充電を簡単にでき、表示器を使用するときは設置場所まで持参して、表示側に切り替えることにより、ＡＣコード等不用で表示動作を行うことができる。また、表示動作は電池電圧を用いるが、発光素子による表示なので、電力消費小なので比較的長く使用することができる。
【００１０】
また、蓋体を交換することにより、駆動、表示部は１台でも種々の態様の表示動作に使用することができる。
【発明を実施するための最良の形態】
【００１１】
以下、実施の形態により、この発明を更に詳細に説明する。図１は、この発明の一実施形態表示器を説明する概略図である。この実施形態表示器１は、本体ケース（本体部）２と、蓋ケース３とから構成されている。本体部２の上部面には複数個の発光素子（ＬＥＤ）４-1、４-2、……、４-nが設けられている。これら発光素子４-1、４-2、……、４-nは、本体部２内に設けられるプリント基板（図示省略）に接続され、このプリント基板には語術する充電用及び表示動作用の回路部が搭載されている。
【００１２】
蓋ケース３は、本体部２に対し、脱着自在に構成され、交換可能となっている。蓋ケース３には、表示すべき図形、文字が表記され、内部の発光素子４-1、４-2、……、４-nが点灯すると、その図形、文字が光源中に浮き上がる態様で表示される。例えば、待合室に設置される表示器では、ある蓋ケース３-1に、図３に示すように「喫煙」の文字を表示したものを使用し、これを喫煙コーナーのテーブル上に配備する。また、他の表示器では、ある蓋ケース３-2に、図４に示すように「禁煙」の文字を表示したものを使用し、これを禁煙コーナーのテーブル上に配備する。
【００１３】
この実施形態表示器の本体部２の回路部２ａの内部構成を図２に示す。回路部２ａは、ＡＣコンセント５と、ＡＣ−ＤＣコンバータ６と、充電回路７と、充電電池８と、電池８を充電側（端子ａ）に接続する場合と、放電側（端子ｂ）に接続する場合とを切り替える切替スイッチ９と、直列に接続される複数個の発光素子４-1、４-2、……、４-nとを備えている。
【００１４】
電池８への充電は、表示器１を使用しない時間に行う。電池８への充電を行う場合は、表示器１を商用電源コンセントのある場所に持参し、ＡＣコンセント５を商用電源コンセントに接続する。そのため、ＡＣコンセント５は、プラグ式としておいても良い。切替スイッチ９を端子ａ側に投入する。１００〔Ｖ〕商用電源は、ＡＣコンセント５を介してＡＣ−ＤＣコンバータ６に入力し、このＡＣ−ＤＣコンバータ６により、所定の直流電圧に変換する。充電回路７は、この直流電圧により、電池８を充電する。充電が終了すると、切替スイッチ９をＯＦＦ（中間段階）とする。
【００１５】
表示器１を動作表示させる場合は、ＡＣコンセント５へ１００〔Ｖ〕商用電源を接続しない状態とし、表示器１のみを設置場所まで携帯し、持ち運ぶ。そして、切替スイッチ９を端子ｂ側に投入する。電池８の電圧は、切替スイッチ９のｃ端子、ｂ端子を介して、発光素子４-1、４-2、……、４-nの直列回路に印加され、発光素子４-1、４-2、……、４-nに流れる電流により、各発光素子４-1、４-2、……、４-nが点灯する。の点灯を光源として、蓋ケース３に記された図形、文字等が浮き上がり、表示が強調される。
【００１６】
なお、発光素子４-1、４-2、……、４-nは直列接続としているが、これを並列接続としても良い。あるいは直列接続と並列接続の混合としても良い。
【００１７】
また、図２には、原理的な回路図を示したが、充電時に電池８への充電終了が目視でわかるように充電電圧が所定値以上となれば、別に設ける発光素子を点灯しても良い。
【００１８】
また、発光素子４-1、４-2、……、４-nの通電のために、残電圧が所定値以下となった場合に、これを検知して、リレー等を動作させ、切替スイッチ９を回路オープン状態とするようにしても良い。
【図面の簡単な説明】
【００１９】
【図１】この発明の一実施形態である表示器の概略を説明する図である。
【図２】同実施形態表示器の本体部の回路構成を示すブロック図である。
【図３】同実施形態表示器の蓋ケースの一例を示す図である。
【図４】同実施形態表示器の蓋ケースの他の例を示す図である。
【図５】従来の看板、案内板等の表示例を説明する図である。
【図６】従来の看板、案内板等の他の表示例を説明する図である。
【符号の説明】
【００２０】
１                      表示器
２                      本体ケース
３                      蓋ケース
４-1、４-2、……、４-n  発光素子（ＬＥＤ）
５                      ＡＣコンセント
６                      ＡＣ−ＤＣコンバータ
７                      充電回路
８                      電池
９                      切替スイッチ
【図１】
2005326460.tif 000003
【図２】
2005326460.tif 000004
【図３】
2005326460.tif 000005
【図４】
2005326460.tif 000006
【図５】
2005326460.tif 000007
【図６】
2005326460.tif 000008